(57)【要約】【課題】コストの上昇を招くことなく、盗撮行為を防止することのできる撮影装置を得る。【解決手段】ＣＰＵ４０により、ＣＣＤ２４による撮影感度が所定感度以上の場合で、かつストロボ４４による撮影補助光の発光を禁止する指示情報が入力された場合、他の場合に比較して、撮影によって得られる画像の品質を低下させる制御（例えば、ＡＦ機能による合焦距離を強制的に無限遠とする制御、ＡＦ機能による合焦距離を強制的に近接撮影時の距離とする制御、ＡＥ機能による露出状態を被写体の明るさに応じた実際の状態からずらす制御等）を行う。【選択図】図２
2008103810.tif 000002
【特許請求の範囲】
【請求項１】
被写体に向けて撮影補助光を射出する発光手段と、
撮影感度を取得する取得手段と、
前記発光手段による前記撮影補助光の発光を禁止する指示情報を入力する入力手段と、
前記取得手段により取得された前記撮影感度が所定感度以上の場合で、かつ前記入力手段により前記指示情報が入力された場合、他の場合に比較して、撮影によって得られる画像の品質を低下させる制御を行う制御手段と、
を備えた撮影装置。
【請求項２】
前記制御手段は、前記画像の品質を低下させる制御として、合焦位置を実際の合焦位置からずらす制御、及び露出状態を被写体の明るさに応じた実際の露出状態からずらす制御の少なくとも一方の制御を行う
請求項１記載の撮影装置。
【請求項３】
前記制御手段は、前記合焦位置を実際の合焦位置からずらす制御を行う場合、実際の被写体までの距離にかかわらず合焦距離が無限遠となる状態か、又は予め定められた近接撮影時の距離となる状態とするように制御する
請求項２記載の撮影装置。
【請求項４】
前記制御手段は、前記取得手段により取得された前記撮影感度が所定感度以上の場合で、かつ前記入力手段により前記指示情報が入力されていない場合、予め定められたタイミングで前記撮影補助光を強制的に発光させるように前記発光手段を制御する
請求項１乃至請求項３の何れか１項記載の撮影装置。
【請求項５】
前記予め定められたタイミングは、撮影直前のタイミング、又は撮影時のタイミング、又は撮影直後のタイミングである
請求項４記載の撮影装置。
【請求項６】
前記制御手段は、前記撮影補助光を強制的に発光させるように前記発光手段を制御する場合、当該発光を所定期間だけ継続するように制御する
請求項４又は請求項５記載の撮影装置。
【請求項７】
被写体に人の顔が含まれているか否かを判定する判定手段を更に備え、
前記制御手段は、前記判定手段によって人の顔が含まれていないと判定された場合のみ前記制御を行う
請求項１乃至請求項６の何れか１項記載の撮影装置。
【請求項８】
前記発光手段は、ストロボである
請求項１乃至請求項７の何れか１項記載の撮影装置。
【発明の詳細な説明】
【技術分野】
【０００１】
本発明は、撮影装置に係り、特に、被写体に向けて撮影補助光を射出する機能を有する撮影装置に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、以上のような撮影機能を有する情報機器をデジタルカメラと総称する。
【０００３】
また、このようなデジタルカメラや銀塩写真式カメラ等の撮影装置には、被写体が暗い場合に対処するためにストロボを内蔵したものや、自動合焦機能等を実現するためにタリーランプを内蔵したもの等、被写体方向に向けて撮影補助光を射出するように構成されているものが多い。
【０００４】
ところで、近年の撮影装置の小型化及び高感度化に伴い、撮影装置を用いた盗撮行為の発生する可能性が高まっており、これに対処するために、撮影時に必ずシャッタ音を鳴らす機能や、撮影禁止領域内で発せられている盗撮防止信号を受信した場合に電源をオフする機能等が搭載されている撮影装置がある。
【０００５】
また、特許文献１には、ＣＣＤカメラ等の撮像手段を備え、盗撮を防止するための機能を有する撮像装置において、該撮像装置は、盗撮防止情報発生装置が発生する予め定められた特徴を有する盗撮防止情報を、撮像画像から得られる画像信号から検出して前記盗撮防止情報が撮像されていることを示す盗撮防止信号を出力する盗撮防止情報検出部を有することを特徴とする技術が開示されている。
【特許文献１】特開２００１−１６９１７５号公報
【発明の開示】
【発明が解決しようとする課題】
【０００６】
しかしながら、上記シャッタ音を鳴らす機能を設ける技術では、当該シャッタ音を鳴らすことのできるスピーカは撮影装置において必ずしも必須のものではないので、装置本体からスピーカが削除されてしまった場合には、盗撮行為を防止することができない、という問題点があった。
【０００７】
また、上記盗撮防止信号を受信した場合に電源をオフする技術では、無線通信機能を有する撮影装置は一般的ではないため、無線通信機能を有しない撮影装置に当該技術を適用する際には無線通信機能を新たに追加しなければならず、コストの上昇を招いてしまう、という問題点があった。
【０００８】
更に、上記特許文献１に開示されている技術では、盗撮防止情報発生装置を新たに用意する必要があるため、この技術においてもコストの上昇を招いてしまう、という問題点があった。
【０００９】
本発明は上記問題点を解決するためになされたものであり、コストの上昇を招くことなく、盗撮行為を防止することのできる撮影装置を提供することを目的とする。
【課題を解決するための手段】
【００１０】
上記目的を達成するために、請求項１に記載の撮影装置は、被写体に向けて撮影補助光を射出する発光手段と、撮影感度を取得する取得手段と、前記発光手段による前記撮影補助光の発光を禁止する指示情報を入力する入力手段と、前記取得手段により取得された前記撮影感度が所定感度以上の場合で、かつ前記入力手段により前記指示情報が入力された場合、他の場合に比較して、撮影によって得られる画像の品質を低下させる制御を行う制御手段と、を備えている。
【００１１】
請求項１に記載の撮影装置は、被写体に向けて撮影補助光を射出する発光手段を有し、取得手段によって撮影感度が取得され、かつ入力手段によって前記発光手段による前記撮影補助光の発光を禁止する指示情報が入力されるものとされている。
【００１２】
ここで、本発明では、制御手段により、前記取得手段によって取得された前記撮影感度が所定感度以上の場合で、かつ前記入力手段によって前記指示情報が入力された場合、他の場合に比較して、撮影によって得られる画像の品質を低下させる制御が行われる。
【００１３】
すなわち、盗撮を行う場合には、撮影感度を高く設定し、撮影補助光の発光を禁止する場合が多い。そこで、本発明では、この場合に撮影によって得られる画像の品質を強制的に低下させるようにしており、これによって盗撮を行っても低画質の画像しか得られないようにする結果、盗撮行為を防止することができるようにしている。なお、本発明は、従来の技術のような無線通信機能、盗撮防止情報発生装置等の新たな構成要素を必要としないため、コストの上昇を招くこともない。
【００１４】
このように、請求項１に記載の撮影装置によれば、撮影感度が所定感度以上の場合で、かつ発光手段による撮影補助光の発光を禁止する指示情報が入力された場合、他の場合に比較して、撮影によって得られる画像の品質を低下させる制御を行っているので、コストの上昇を招くことなく、盗撮行為を防止することができる。
【００１５】
なお、本発明は、請求項２に記載の発明のように、前記制御手段が、前記画像の品質を低下させる制御として、合焦位置を実際の合焦位置からずらす制御、及び露出状態を被写体の明るさに応じた実際の露出状態からずらす制御の少なくとも一方の制御を行うものとしてもよい。これにより、前記画像の品質を低下させる制御として合焦位置を実際の合焦位置からずらす制御を行う場合には、撮影画像をピントがずれたものとすることができ、前記画像の品質を低下させる制御として露出状態を被写体の明るさに応じた実際の露出状態からずらす制御を行う場合には、撮影画像を暗すぎたり、明るすぎたりするものとすることができる。
【００１６】
ところで、盗撮を行う場合でなく、撮影感度を高く設定し、撮影補助光の発光を禁止する場合の撮影対象としては、合焦距離が無限遠となる天体（星）、夜景等や、合焦距離が近接撮影時の距離となる乳幼児、動物等の場合が多い。これに対し、盗撮を行う場合の被写体までの距離は、無限遠及び近接撮影時の距離を除く距離である場合が多い。
【００１７】
そこで、請求項２に記載の発明は、請求項３に記載の発明のように、前記制御手段が、前記合焦位置を実際の合焦位置からずらす制御を行う場合、実際の被写体までの距離にかかわらず合焦距離が無限遠となる状態か、又は予め定められた近接撮影時の距離となる状態とするように制御するものとしてもよい。これにより、無限遠又は近接撮影時の距離に位置される被写体については良好に撮影することができ、利便性を向上させることができる。
【００１８】
また、本発明は、請求項４に記載の発明のように、前記制御手段が、前記取得手段により取得された前記撮影感度が所定感度以上の場合で、かつ前記入力手段により前記指示情報が入力されていない場合、予め定められたタイミングで前記撮影補助光を強制的に発光させるように前記発光手段を制御するものとしてもよい。これにより、被写体に対して盗撮が行われていることを容易に認識させることができる結果、より高いレベルで盗撮行為を防止することができる。
【００１９】
特に、請求項４に記載の発明は、請求項５に記載の発明のように、前記予め定められたタイミングを、撮影直前のタイミング、又は撮影時のタイミング、又は撮影直後のタイミングであるものとしてもよい。これにより、前記予め定められたタイミングを撮影直前のタイミングとした場合には、盗撮行為を未然に防止することができ、前記予め定められたタイミングを撮影時のタイミングとした場合には、撮影によって得られる画像の品質を、より低下させることができ、前記予め定められたタイミングを撮影直後のタイミングとした場合には、盗撮ではない撮影を行う場合の短時間での撮影が可能となる結果、シャッタ・チャンスを逃す事態を回避することができる。
【００２０】
また、請求項４又は請求項５に記載の発明は、請求項６に記載の発明のように、前記制御手段が、前記撮影補助光を強制的に発光させるように前記発光手段を制御する場合、当該発光を所定期間だけ継続するように制御するものとしてもよい。これにより、被写体に対して盗撮が行われていることを、より確実に認識させることができる。
【００２１】
ところで、被写体に人の顔が存在する場合には、盗撮ではなく、通常の撮影を行っている場合が多い。
【００２２】
そこで、本発明は、請求項７に記載の発明のように、被写体に人の顔が含まれているか否かを判定する判定手段を更に備え、前記制御手段が、前記判定手段によって人の顔が含まれていないと判定された場合のみ前記制御を行うものとしてもよい。これにより、何らかの理由で撮影感度を高く設定した状態で、人の顔が含まれる被写体に対する撮影を行う場合の当該撮影を支障なく行うことができる。
【００２３】
更に、本発明は、請求項８に記載の発明のように、前記発光手段が、ストロボであるものとしてもよい。これにより、近年の撮影装置に一般的に設けられているストロボを利用して本発明を実現することができる。
【発明の効果】
【００２４】
本発明によれば、撮影感度が所定感度以上の場合で、かつ発光手段による撮影補助光の発光を禁止する指示情報が入力された場合、他の場合に比較して、撮影によって得られる画像の品質を低下させる制御を行っているので、コストの上昇を招くことなく、盗撮行為を防止することができる、という効果が得られる。
【発明を実施するための最良の形態】
【００２５】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２６】
［第１の実施の形態］
まず、図１を参照して、本実施の形態に係るデジタルカメラ１０の外観上の構成を説明する。
【００２７】
デジタルカメラ１０の正面には、被写体像を結像させるためのレンズ２１と、撮影時に必要に応じて被写体に照射する光（撮影補助光）を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２８】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３０】
また、モード切替スイッチ５６Ｃは、撮影を行うモードである撮影モード及び被写体像を後述するＬＣＤ３８に再生するモードである再生モードの何れかのモードに設定する際に回転操作される。
【００３１】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００３２】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチとが備えられている。
【００３３】
次に、図２を参照して、本実施の形態に係るデジタルカメラ１０の電気系の要部構成を説明する。
【００３４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３６】
なお、デジタル信号処理部３０は、所定容量のラインバッファを内蔵し、入力されたデジタルデータを後述するメモリ４８の所定領域に直接記憶させる制御も行う。
【００３７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３８】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３９】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４０】
なお、本実施の形態のデジタルカメラ１０では、メモリ４８としてフラッシュ・メモリ（Flash Memory）が用いられ、メモリカード５２としてスマート・メディア（Smart Media（登録商標））が用いられている。
【００４１】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００４２】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４３】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４４】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４５】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４７】
なお、本実施の形態に係るデジタルカメラ１０には、ＣＣＤ２４による撮影感度を、予め定められた複数種類（本実施の形態では、ＩＳＯ１００，ＩＳＯ２００，ＩＳＯ４００，ＩＳＯ８００，ＩＳＯ１６００，ＩＳＯ３２００の６種類）から選択的に設定する機能を有している。ここで、デジタルカメラ１０では、撮影感度の設定を、メニュースイッチを押圧操作することによりＬＣＤ３８に表示されるメニュー画面上で行うものとされているが、例えば、撮影感度設定用の専用のスイッチを設けておき、当該スイッチを操作することにより設定する形態等、これに限るものではないことは言うまでもない。
【００４８】
また、本実施の形態に係るデジタルカメラ１０には、ストロボ４４の発光を禁止する発光禁止機能を有している。ここで、デジタルカメラ１０では、ストロボ４４の発光禁止の設定も、上記メニュー画面上で行うものとされているが、例えば、ストロボ４４の発光状態設定用の専用のスイッチを設けておき、当該スイッチを操作することにより設定する形態等、これに限るものではないことも言うまでもない。
【００４９】
次に、本実施の形態に係るデジタルカメラ１０の撮影時における全体的な動作について簡単に説明する。
【００５０】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５２】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５３】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５４】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５５】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５６】
ところで、本実施の形態に係るデジタルカメラ１０には、撮影感度として所定感度以上が設定されている場合に盗撮が行われる可能性が他の場合に比較して高いものとして、盗撮防止のための各種施策を実行する盗撮防止機能が搭載されている。
【００５７】
次に、図３を参照して、盗撮防止機能を実行する際のデジタルカメラ１０の作用を説明する。なお、図３は、撮影モードが設定されており、かつレリーズスイッチ５６Ａが全押し状態とされたときにデジタルカメラ１０のＣＰＵ４０によって実行される撮影処理プログラムの処理の流れを示すフローチャートであり、当該プログラムはメモリ４８の所定領域に予め記憶されている。
【００５８】
まず、ステップ１５０では、ユーザによって設定された撮影感度を示す撮影感度情報を取得し、次のステップ１５２では、取得した撮影感度情報により示される撮影感度が所定感度（本実施の形態では、ＩＳＯ１６００）以上であるか否かを判定し、否定判定となった場合はステップ１５４に移行して通常の撮影処理を実行し、その後に本撮影処理プログラムを終了する。
【００５９】
一方、上記ステップ１５２において肯定判定となった場合にはステップ１５６に移行し、ストロボ４４の発光の禁止が設定されているか否かを判定して、肯定判定となった場合はステップ１５８に移行する。
【００６０】
ステップ１５８では、撮影によって得られる画像の品質を低下させるものとして予め定められた処理を実行し、その後にステップ１６０に移行する。なお、本実施の形態に係る撮影処理プログラムでは、上記ステップ１５８において実行される処理として、ＡＦ機能による合焦距離を強制的に無限遠とする処理を適用しているが、これに限るものではなく、ＡＦ機能による合焦距離を強制的に近接撮影時の距離とする処理、ＡＥ機能による露出状態を被写体の明るさに応じた実際の状態からずらす処理（例えば、シャッタースピードを可能な限り遅くし、かつ絞りを可能な限り開く処理、シャッタースピードを可能な限り早くし、かつ絞りを可能な限り閉じる処理等）等の他の処理を適用することもできる。
【００６１】
次のステップ１６０では、予め定められた警告画面をＬＣＤ３８に表示させ、次のステップ１６２にて、所定情報の入力待ちを行う。
【００６２】
図４には、上記ステップ１６０の処理によってＬＣＤ３８に表示される警告画面の一例が示されている。同図に示されるように、本実施の形態に係る撮影処理プログラムでは、当該警告画面として、焦点がずれた状態で撮影が行われる旨のメッセージが表示されると共に、撮影を実行する際に指定される撮影実行ボタンと、撮影を中止する際に指定される撮影中止ボタンが表示される。同図に示されるような警告画面が表示されると、デジタルカメラ１０のユーザは、撮影を実行する場合には撮影実行ボタンを、撮影を中止する場合には撮影中止ボタンを、各々十字カーソルスイッチ５６Ｄ等による操作により指定する。これに応じて、上記ステップ１６２が肯定判定となってステップ１６４に移行する。
【００６３】
ステップ１６４では、上記警告画面においてユーザにより指定されたボタンが撮影実行ボタンであったか否かを判定することにより、ユーザによって撮影の実行が指示されたか否かを判定し、肯定判定となった場合はステップ１７４に移行する一方、否定判定となった場合には本撮影処理プログラムを終了する。
【００６４】
一方、上記ステップ１５６において否定判定となった場合にはステップ１６６に移行して、予め定められたタイミングでストロボ４４を強制的に発光させるように設定し、その後にステップ１６８に移行する。なお、本実施の形態に係る撮影処理プログラムでは、上記予め定められたタイミングとして撮影時のタイミングを適用しているが、これに限らず、撮影直前のタイミングや、撮影直後のタイミングを適用する形態とすることもできる。
【００６５】
ステップ１６８では、予め定められた警告画面をＬＣＤ３８に表示させ、次のステップ１７０にて、所定情報の入力待ちを行う。
【００６６】
図５には、上記ステップ１６８の処理によってＬＣＤ３８に表示される警告画面の一例が示されている。同図に示されるように、本実施の形態に係る撮影処理プログラムでは、当該警告画面として、ストロボが発光する旨のメッセージが表示されると共に、撮影を実行する際に指定される撮影実行ボタンと、撮影を中止する際に指定される撮影中止ボタンが表示される。同図に示されるような警告画面が表示されると、デジタルカメラ１０のユーザは、撮影を実行する場合には撮影実行ボタンを、撮影を中止する場合には撮影中止ボタンを、各々十字カーソルスイッチ５６Ｄ等による操作により指定する。これに応じて、上記ステップ１７０が肯定判定となってステップ１７２に移行する。
【００６７】
ステップ１７２では、上記警告画面においてユーザにより指定されたボタンが撮影実行ボタンであったか否かを判定することにより、ユーザによって撮影の実行が指示されたか否かを判定し、肯定判定となった場合はステップ１７４に移行する一方、否定判定となった場合には本撮影処理プログラムを終了する。
【００６８】
ステップ１７４では、以上の処理により、撮影によって得られる画像の品質を低下させる処理が実行されたか、又は予め定められたタイミングでストロボ４４を強制的に発光させるように設定された状態下で撮影処理を実行し、その後に本撮影処理プログラムを終了する。
【００６９】
なお、本実施の形態に係る撮影処理プログラムでは、上記画像の品質を低下させる処理として、ＡＦ機能による合焦距離を強制的に無限遠とする処理を適用しているので、撮影感度として所定感度以上が設定されている場合で、かつストロボ４４による発光が禁止されている場合において、合焦距離が無限遠とされる被写体以外の被写体を撮影しようとしても、焦点（ピント）がずれた状態での撮影しか行うことができない。また、本実施の形態に係る撮影処理プログラムでは、撮影感度として所定感度以上が設定されている場合で、かつストロボ４４による発光が禁止されていない場合において、撮影を実行する際には、予め定められたタイミング（本実施の形態では、撮影時のタイミング）でストロボ４４が強制的に発光されるので、被写体に対して盗撮が行われていることを容易に認識させることができる。
【００７０】
以上詳細に説明したように、本実施の形態では、撮影感度が所定感度以上の場合で、かつ発光手段（ここでは、ストロボ４４）による撮影補助光の発光を禁止する指示情報が入力された場合、他の場合に比較して、撮影によって得られる画像の品質を低下させる制御を行っているので、コストの上昇を招くことなく、盗撮行為を防止することができる。
【００７１】
また、本実施の形態では、前記画像の品質を低下させる制御として、合焦位置を実際の合焦位置からずらす制御を行っているので、撮影画像をピントがずれたものとすることができる。
【００７２】
また、本実施の形態では、前記合焦位置を実際の合焦位置からずらす制御を、実際の被写体までの距離にかかわらず合焦距離が無限遠となる状態とするように制御するものとしているので、合焦位置が無限遠とされる距離に位置される被写体については良好に撮影することができ、利便性を向上させることができる。
【００７３】
また、本実施の形態では、撮影感度が所定感度以上の場合で、かつ前記発光手段による撮影補助光の発光が禁止されていない場合、予め定められたタイミングで前記撮影補助光を強制的に発光させるように前記発光手段を制御しているので、被写体に対して盗撮が行われていることを容易に認識させることができる結果、より高いレベルで盗撮行為を防止することができる。
【００７４】
特に、本実施の形態では、前記予め定められたタイミングを、撮影時のタイミングであるものとしているので、撮影によって得られる画像の品質を、より低下させることができる。
【００７５】
更に、本実施の形態では、前記発光手段としてストロボを適用しているので、近年の撮影装置に一般的に設けられているストロボを利用して本発明を実現することができる。
【００７６】
なお、本実施の形態では、前記撮影補助光を強制的に発光させるように前記発光手段を制御する場合の当該撮影補助光の発光期間については特に言及しなかったが、当該発光を所定期間（一例として、１０秒間）だけ継続するように制御してもよい。これにより、被写体に対して盗撮が行われていることを、より確実に認識させることができる。
【００７７】
［第２の実施の形態］
本第２の実施の形態では、被写体に人の顔が含まれていない場合に盗撮防止のための施策を実行する場合の形態例について説明する。
【００７８】
なお、本第２の実施の形態に係るデジタルカメラ１０の構成は、上記第１の実施の形態に係るデジタルカメラ１０（図１，図２参照。）と同様であるので、ここでの説明は省略する。また、本第２の実施の形態に係るデジタルカメラ１０の作用も、盗撮防止機能の実行時以外については、上記第１の実施の形態に係るデジタルカメラ１０と同様であるので、ここでの説明は省略する。
【００７９】
以下、図６を参照して、本第２の実施の形態に係るデジタルカメラ１０の盗撮防止機能を実行する際の作用を説明する。なお、図６は、撮影モードが設定されており、かつレリーズスイッチ５６Ａが全押し状態とされたときに、本第２の実施の形態に係るデジタルカメラ１０のＣＰＵ４０によって実行される撮影処理プログラムの処理の流れを示すフローチャートであり、当該プログラムはメモリ４８の所定領域に予め記憶されている。また、図６のフローチャートにおける図３と同一の処理を行うステップには、図３と同一のステップ番号を付して、その説明を省略する。
【００８０】
まず、ステップ１００では、この時点でメモリ４８に記憶されているデジタル画像データを読み出し、次のステップ１０２にて、読み出したデジタル画像データにより示される被写体像から人の顔の画像を検出する処理を従来既知の顔認識アルゴリズムを用いて実行し、次のステップ１０４では、上記ステップ１０２の処理によって人の顔が検出されたか否かを判定することにより、被写体像に当該顔が存在するか否かを判定し、肯定判定となった場合はステップ１５４に移行する一方、否定判定となった場合にはステップ１５０に移行する。
【００８１】
以上詳細に説明したように、本第２の実施の形態では、上記第１の実施の形態と同様の効果を奏することができると共に、被写体に人の顔が含まれているか否かを判定し、人の顔が含まれていないと判定された場合のみ盗撮防止のための施策（撮影によって得られる画像の品質を低下させる施策、又は発光手段を強制的に発光させる施策。）を実行するようにしているので、何らかの理由で撮影感度を高く設定した状態で、人の顔が含まれる被写体に対する撮影を行う場合の当該撮影を支障なく行うことができる。
【００８２】
なお、上記各実施の形態では、本発明の発光手段としてストロボを適用した場合について説明したが、本発明はこれに限定されるものではなく、例えば、ＡＦ機能を実現するため等のためにタリーランプを内蔵したカメラにおける当該タリーランプ等の他の発光手段を適用する形態とすることもできる。この場合も、上記各実施の形態と同様の効果を奏することができる。
【００８３】
その他、上記各実施の形態に係るデジタルカメラ１０の構成（図１，図２参照。）は一例であり、本発明の主旨を逸脱しない範囲内において、不要な構成要素を削除したり、新たな構成要素を追加したり、電気的な接続状態を変更したりすることができることは言うまでもない。
【００８４】
また、上記各実施の形態において説明した撮影処理プログラムの処理の流れ（図３，図６参照。）も一例であり、本発明の主旨を逸脱しない範囲内において、各ステップの処理順序の変更、処理内容の変更、不要なステップの削除、新たなステップの追加等を行うことができることは言うまでもない。
【００８５】
また、上記各実施の形態において説明した警告画面の表示状態（図４，図５参照。）も一例であり、本発明の主旨を逸脱しない範囲内において適宜変更可能であることは言うまでもない。
【００８６】
更に、上記各実施の形態では、本発明をデジタル電子スチルカメラに適用した場合について説明したが、本発明は、ＰＤＡ、携帯電話機、銀塩写真式カメラ等、撮影機能を有する情報機器であれば如何なるものにでも適用できることは言うまでもない。
【図面の簡単な説明】
【００８７】
【図１】実施の形態に係るデジタルカメラの外観を示す外観図である。
【図２】実施の形態に係るデジタルカメラの電気系の要部構成を示すブロック図である。
【図３】第１の実施の形態に係る撮影処理プログラムの処理の流れを示すフローチャートである。
【図４】実施の形態に係る警告画面（その１）の表示状態の一例を示す概略図である。
【図５】実施の形態に係る警告画面（その２）の表示状態の一例を示す概略図である。
【図６】第２の実施の形態に係る撮影処理プログラムの処理の流れを示すフローチャートである。
【符号の説明】
【００８８】
１０    デジタルカメラ
２４    ＣＣＤ
４０    ＣＰＵ（取得手段、制御手段、判定手段）
４４    ストロボ（発光手段）
５６    操作部（入力手段）
【図１】
2008103810.tif 000003
【図２】
2008103810.tif 000004
【図３】
2008103810.tif 000005
【図４】
2008103810.tif 000006
【図５】
2008103810.tif 000007
【図６】
2008103810.tif 000008